(57)【要約】【課題】本発明は、外付けハードディスクへ伝わる振動を緩和しつつ、設置された外付けハードディスクが視聴者の視界に入らない、さらに、外付けハードディスクの設置および取り外しが容易である映像表示装置を提供することを目的とする。【解決手段】本発明は、映像を表示するディスプレイを含むテレビジョン受像機本体１と、テレビジョン受像機本体１の背面側に取り付けられる、箱状の光ディスク装置１００とを備える。そして、光ディスク装置１００の上面において、外付けハードディスク５を設置するための窪み形状６が形成される。【選択図】図１
2015198323.tif 000002
【特許請求の範囲】
【請求項１】
映像を表示するディスプレイと、
前記ディスプレイの背面側に取り付けられる、箱状の光ディスク装置とを備え、
前記光ディスク装置の上面において、外付けハードディスクを設置するための窪み形状が形成される、
映像表示装置。
【請求項２】
映像を表示するディスプレイと、
前記ディスプレイを支持するスタンドとを備え、
前記ディスプレイの背面側に対応する前記スタンドの上面において、外付けハードディスクを設置するための窪み形状が形成される、
映像表示装置。
【請求項３】
前記窪み形状の底面には、ゴムパッドが貼り付けられる、
請求項１または２に記載の映像表示装置。
【請求項４】
前記窪み形状の少なくとも一組の側面には、弾性クッションが取り付けられる、
請求項１から３のうちのいずれか１項に記載の映像表示装置。
【請求項５】
映像を表示するディスプレイと、
前記ディスプレイの背面側に取り付けられる、外付けハードディスクを設置するための上方に開口部を有する箱体とを備える、
映像表示装置。
【請求項６】
前記箱体の底面に貼り付けられる、前記外付けハードディスクを摩擦によって固定するためのゴムパッドをさらに備える、
請求項５に記載の映像表示装置。
【請求項７】
前記箱体の側面に取り付けられる、前記外付けハードディスクを前記箱体内で固定するためのスポンジをさらに備える、
請求項５または６に記載の映像表示装置。
【発明の詳細な説明】
【技術分野】
【０００１】
本発明は、テレビジョン受像機または液晶モニター等の映像表示装置に関するものである。
【背景技術】
【０００２】
近年、外付けハードディスク（Ｈａｒｄ  ｄｉｓｋ  ｄｒｉｖｅ、ＨＤＤ）をテレビジョン受像機等の映像表示装置に接続して使用される場面が増えてきている。この際、外付けハードディスクの設置場所がしばしば問題となる。
【０００３】
従来の外付けハードディスクの設置方法としては、テレビジョン受像機の設置台の上において、テレビジョン受像機の付近に直置きするという方法があった。または、外付けハードディスクの付属品もしくは別売品である外付けハードディスク取り付け用ブラケットを、テレビジョン受像機の背面カバーにネジ固定し、それにより外付けハードディスクを保持するという方法もあった。
【０００４】
一方、外付けハードディスクに代わるものとして、ｉｎｆｏｒｍａｔｉｏｎ  ｖｅｒｓａｔｉｌｅ  ｄｉｓｋ  ｆｏｒ  ｒｅｍｏｖａｂｌｅ  ｕｓａｇｅ（ｉＶＤＲ）と呼ばれるリムーバブルハードディスクがある。このｉＶＤＲを保持するためのポケットをあらかじめ備えたテレビジョン受像機も提供されている。
【０００５】
外付けハードディスクの設置方法に関する技術として、特許文献１に記載された技術がある。特許文献１には、装置本体を支持するスタンド内部に、ハードディスクユニットを着脱可能に収納することができるテレビジョン受像機が開示されている。
【先行技術文献】
【特許文献】
【０００６】
【特許文献１】特開２００６−２４６２５０号公報
【発明の概要】
【発明が解決しようとする課題】
【０００７】
外付けハードディスクをテレビジョン受像機の付近に直置きする場合、テレビジョン受像機の正面視において、外付けハードディスクが視聴者の視界に入ってしまい、視聴の妨げとなるという問題がある。また、外付けハードディスクを設置するためのスペースを確保する必要が生じ、テレビジョン受像機のスイーベルを行う際には、テレビジョン受像機本体と外付けハードディスクとが衝突してしまう恐れがある。
【０００８】
一方、外付けハードディスク取り付け用のブラケットを使用して、テレビジョン受像機の背面カバーに保持する方法では、先に述べた課題を解決することができる。しかし、この方法では、外付けハードディスク取り付け用のブラケットを入手する必要があること、使用する外付けハードディスクに対応した外付けハードディスク取り付け用ブラケットを選ぶ必要があること、および、当該ブラケットを、ドライバー等を用いてテレビジョン受像機の背面カバーにネジ固定できること等、多くの条件を満たす必要がある。
【０００９】
外付けハードディスクをテレビジョン受像機に固定せずに設置した場合、テレビジョン受像機の移動時またはスイーベル時等に、外付けハードディスクが振動したり衝撃を受けたりする恐れがある。外付けハードディスクのような精密機器は振動および衝撃に弱いため、このような状態は望ましくない。
【００１０】
ｉＶＤＲを保持するためのポケットを備えたテレビジョン受像機も提供されているが、この場合に使用されるｉＶＤＲはテレビジョン受像機メーカーが指定したものに限定される場合が多く、その場合のｉＶＤＲは、一般的な外付けハードディスクよりも高価である。
【００１１】
特許文献１に記載された設置方法では、ハードディスクはテレビジョン受像機に内蔵されており、ユーザがハードディスクを自由に取り付けおよび取り外しできるものではない。よって、特許文献１に記載された設置方法では、故障等によりハードディスクを交換する必要がある場合、ユーザ単独で行うことが困難となる。
【００１２】
本発明は、上記のような問題を解決するためになされたものであり、外付けハードディスクへ伝わる振動を緩和しつつ、設置された外付けハードディスクが視聴者の視界に入らない、さらに、外付けハードディスクの設置および取り外しが容易である映像表示装置を提供することを目的とする。
【課題を解決するための手段】
【００１３】
本発明の一態様に関する映像表示装置は、映像を表示するディスプレイと、前記ディスプレイの背面側に取り付けられる、箱状の光ディスク装置とを備え、前記光ディスク装置の上面において、外付けハードディスクを設置するための窪み形状が形成される。
【００１４】
本発明の別の態様に関する映像表示装置は、映像を表示するディスプレイと、前記ディスプレイを支持するスタンドとを備え、前記ディスプレイの背面側に対応する前記スタンドの上面において、外付けハードディスクを設置するための窪み形状が形成される。
【００１５】
本発明の別の態様に関する映像表示装置は、映像を表示するディスプレイと、前記ディスプレイの背面側に取り付けられる、外付けハードディスクを設置するための上方に開口部を有する箱体とを備える。
【発明の効果】
【００１６】
本発明の上記態様によれば、外付けハードディスクがディスプレイと衝突することを防ぐことができ、映像表示装置の移動時およびスイーベル時にも、外付けハードディスクへ伝わる振動が緩和される。また、設置された外付けハードディスクが、視聴者の視界に入らない。さらに、ユーザが、外付けハードディスクを設置する場合にも、設置された外付けハードディスク５を取り外す場合にも、ネジまたはドライバーを用いて作業を行う必要がなく容易である。
【００１７】
本発明の目的、特徴、局面、および利点は、以下の詳細な説明と添付図面とによって、より明白となる。
【図面の簡単な説明】
【００１８】
【図１】実施形態に関するテレビジョン受像機の概観図である。
【図２】実施形態に関する光ディスク装置を示した図である。
【図３】実施形態に関するテレビジョン受像機の概観図である。
【図４】実施形態に関するスタンドおよびスタンド上の構成を示した図である。
【図５】実施形態に関するテレビジョン受像機の概観図である。
【図６】実施形態に関するテレビジョン受像機の上面図である。
【図７】前提技術に関するテレビジョン受像機の正面図である。
【図８】前提技術に関するテレビジョン受像機の背面図である。
【発明を実施するための形態】
【００１９】
以下、添付の図面を参照しながら実施形態について説明する。以下の説明では、同様の構成要素には同じ符号を付して図示し、それらの名称および機能も同様のものとする。よって、それらについての詳細な説明を省略する場合がある。
【００２０】
なお、以下の説明において、上面、側面または底面等の用語が用いられるが、これらの用語は、各面を便宜上区別するために用いられているものであり、実際の上下左右の方向とは関係しない。
【００２１】
図７は、前提技術に関する、映像表示装置としてのテレビジョン受像機の正面図である。
【００２２】
図７に示されるように、テレビジョン受像機は、テレビジョン受像機本体１と、スタンド２ａと、外付けハードディスク５とを備える。
【００２３】
外付けハードディスク５は、テレビジョン受像機本体１の付近に直置きされている。この場合、テレビジョン受像機の正面視において、外付けハードディスク５が視聴者の視界に入ってしまい、視聴の妨げとなるという問題がある。また、外付けハードディスク５を設置するためのスペースを確保する必要が生じ、テレビジョン受像機のスイーベルを行う際には、テレビジョン受像機本体１と外付けハードディスク５とが衝突してしまう恐れがある。
【００２４】
図８は、前提技術に関する、他のテレビジョン受像機の背面図である。
【００２５】
図７に示されるように、当該テレビジョン受像機は、テレビジョン受像機本体１と、スタンド２ａと、背面カバー３ａと、ハードディスク取り付け用のブラケット１０と、外付けハードディスク５とを備える。
【００２６】
外付けハードディスク５は、ブラケット１０に保持される。この場合には、外付けハードディスク取り付け用のブラケットを入手する必要があること、使用する外付けハードディスクに対応した外付けハードディスク取り付け用ブラケットを選ぶ必要があること、および、当該ブラケットを、ドライバー等を用いてテレビジョン受像機の背面カバーにネジ固定できること等、多くの条件を満たす必要がある。
【００２７】
以下に説明する実施形態は、上記のような問題を解決する映像表示装置に関するものである。
【００２８】
＜第１実施形態＞
＜構成＞
以下、図に基づいて本発明の実施形態を説明する。
【００２９】
図１は、本実施形態に関する、背面下部に光ディスク装置１００を設置した、映像表示装置としてのテレビジョン受像機を示した概観図である。
【００３０】
図１に示されるように、テレビジョン受像機は、ディスプレイを含むテレビジョン受像機本体１と、スタンド２ａと、背面カバー３ａと、光ディスク装置１００とを備える。
【００３１】
図２は、図１に示された構成のうち、光ディスク装置１００を示した図である。図１に示された場合では、光ディスク装置１００の上面に外付けハードディスク５が設置されていたが、図２では、光ディスク装置１００の上面に外付けハードディスク５が設置されていない状態が示されている。
【００３２】
図２に示されるように、光ディスク装置１００は、光ディスク装置全体を覆う光ディスク装置カバー４と、光ディスク装置カバー４の上面に設けられた、外付けハードディスク５設置用の窪み形状６とを備える。また、図２に示されるように、窪み形状６の底面に貼り付けられた、外付けハードディスク５を摩擦によって固定するためのゴムパッド７と、窪み形状６の側面に配置された、外付けハードディスク５を挟んで固定するための弾性クッション１２とを備えていてもよい。弾性クッションの材質としては、ハードディスク５に過剰な負荷をかけずに固定する目的から、例えば、ウレタンスポンジ等の柔らかい材質が想定される。
【００３３】
窪み形状６は、外付けハードディスク５を完全に収容できる程度の深さを有していることが望ましいが、外付けハードディスク５の深さ方向の一部を収容する程度の深さのものであってもよい。
【００３４】
テレビジョン受像機本体１は、スタンド２ａにネジ等を用いて固定されることにより、起立状態で支持されている。背面カバー３ａは、テレビジョン受像機本体１の背面側からネジ等を用いて固定されており、テレビジョン受像機本体１の背面全体を覆っている。
【００３５】
本実施形態に関するテレビジョン受像機は、光ディスク装置１００を、テレビジョン受像機本体１の背面下部に設置している。光ディスク装置１００のテレビジョン受像機本体１への固定は、板金を介したネジ固定によって行う。
【００３６】
光ディスク装置カバー４は、光ディスク装置１００自体が外部から直接視認できないようにするため、また、光ディスク装置１００自体の保護のために備えられる。光ディスク装置カバー４は、テレビジョン受像機本体１にネジ固定される。
【００３７】
外付けハードディスク５は、窪み形状６内のゴムパッド７上に、最も転倒しにくい向きで配置される。
【００３８】
光ディスク装置カバー４の上面における窪み形状６の外形は、設置される外付けハードディスク５の外形よりも大きい。また、窪み形状６の側面に配置された弾性クッション１２によって、外付けハードディスク５はその側面を挟んで固定される。
【００３９】
窪み形状６と外付けハードディスク５の側面との接触、または、ゴムパッド７と外付けハードディスク５の底面との摩擦により、外付けハードディスク５は、テレビジョン受像機の視聴時およびスイーベル時、さらには設置台上でテレビジョン受像機の移動を行った際でも、窪み形状６における定位置で固定される。よって、このような場面での、外付けハードディスク５に伝わる振動は抑制される。
【００４０】
市販の外付けハードディスク５は、ハードディスクを保護するためのある特定のケースで覆われていることが多い。当該ケースの外形は製品によって異なる。よって、光ディスク装置カバー４に設けられる窪み形状６の外形は、取り付けられる外付けハードディスク５の外形（またはそのケースの外形）に応じて変形可能な構造にすることが望ましい。
【００４１】
本実施形態では、変形の具体的な方法として、窪み形状６の向かい合う各側面に、弾性クッション１２が取り付けられている。この弾性クッション１２を外付けハードディスク５の外形（またはそのケースの外形）に応じて縮めることで、外付けハードディスク５を設置する隙間の大きさを調節することができる。窪み形状６内において、外付けハードディスク５の少なくとも一組の側面は、弾性クッション１２と接触し、かつ固定される。このような構成であるため、ユーザが自由に選択した外形の異なる外付けハードディスク５であっても、適切に設置することができる。
【００４２】
なお、本実施形態においては、弾性クッション１２は、窪み形状６の一組の側面にのみ配置されているが、窪み形状６における他の側面においても配置されていてもよい。
【００４３】
＜効果＞
以下に、本実施形態による効果を例示する。
【００４４】
本実施形態によれば、映像表示装置が、映像を表示するディスプレイを含むテレビジョン受像機本体１と、テレビジョン受像機本体１の背面側に取り付けられる、箱状の光ディスク装置１００とを備える。
【００４５】
そして、光ディスク装置１００の上面において、外付けハードディスク５を設置するための窪み形状６が形成される。
【００４６】
このような構成によれば、外付けハードディスク５がテレビジョン受像機本体１と衝突することを防ぐことができ、テレビジョン受像機の移動時およびスイーベル時にも、外付けハードディスク５へ伝わる振動が緩和される。また、設置された外付けハードディスク５が、視聴者の視界に入らない。さらに、ユーザが、外付けハードディスク５を設置する場合にも、設置された外付けハードディスク５を取り外す場合にも、ネジまたはドライバーを用いて作業を行う必要がなく容易である。
【００４７】
また、外付けハードディスク５を設置するためのスペースを別途用意する必要がないため、テレビジョン受像機周りのスペースを有効に利用することができる。
【００４８】
＜第２実施形態＞
＜構成＞
以下では、上記実施形態で説明した構成と同様の構成については同じ符号を付して図示し、その詳細な説明については適宜省略する。
【００４９】
図３は、本実施形態に関する、光ディスク装置を備えていない、映像表示装置としてのテレビジョン受像機を示した概観図である。
【００５０】
図３に示されるように、テレビジョン受像機は、ディスプレイを含むテレビジョン受像機本体１と、スタンド２ｂと、背面カバー３ａと、外付けハードディスク５設置用の窪み形状８と、窪み形状８の底面に貼り付けられた、外付けハードディスク５を摩擦によって固定するためのゴムパッド７とを備える。
【００５１】
図４は、図３に示された構成のうち、スタンド２ｂおよびスタンド２ｂ上の構成を示した図である。図３に示された場合では、スタンド２ｂの上面に外付けハードディスク５が設置されていたが、図４では、スタンド２ｂの上面に外付けハードディスク５が設置されていない状態が示されている。
【００５２】
テレビジョン受像機本体１は、スタンド２ｂにネジ等を用いて固定されることにより、起立状態で支持されている。背面カバー３ａが、テレビジョン受像機本体１の背面側からネジ等を用いて固定されており、テレビジョン受像機本体１の背面全体を覆っている。
【００５３】
スタンド２ｂの上面における窪み形状８の外形は、設置される外付けハードディスク５の外形より大きい。また、窪み形状８が設けられる位置は、テレビジョン受像機の背面側とする。
【００５４】
窪み形状８は、テレビジョン受像機のスイーベル時に、テレビジョン受像機本体１と外付けハードディスク５とが接触しない位置に設けられる。
【００５５】
窪み形状８の底には、ゴムパッド７が貼り付けられている。ゴムパッド７は、ゴムパッド７上に外付けハードディスク５が配置された状態でテレビジョン受像機を設置台上で移動させる際に、外付けハードディスク５がゴムパッド７上で動かないような静摩擦係数のものを使用する。
【００５６】
外付けハードディスク５は、窪み形状８内のゴムパッド７上に配置される。外付けハードディスク５の底面とゴムパッド７との摩擦により、テレビジョン受像機を設置台上で移動させる際にも、外付けハードディスク５は、窪み形状８上の定位置で固定される。よって、このような場面での、外付けハードディスク５に伝わる振動は抑制される。
【００５７】
また、図３および図４においては示されていないが、窪み形状８の側面において、外付けハードディスク５を挟んで固定するための弾性クッション１２が配置されていてもよい。
【００５８】
＜効果＞
以下に、本実施形態による効果を例示する。
【００５９】
本実施形態によれば、映像表示装置が、映像を表示するディスプレイを含むテレビジョン受像機本体１と、テレビジョン受像機本体１を支持するスタンド２ｂとを備える。
【００６０】
そして、テレビジョン受像機本体１の背面側に対応するスタンド２ｂの上面において、外付けハードディスク５を設置するための窪み形状８が形成される。
【００６１】
このような構成によれば、外付けハードディスク５がテレビジョン受像機本体１と衝突することを防ぐことができ、テレビジョン受像機の移動時にも、外付けハードディスク５へ伝わる振動が緩和される。また、設置された外付けハードディスク５が、視聴者の視界に入らない。さらに、ユーザが、外付けハードディスク５を設置する場合にも、設置された外付けハードディスク５を取り外す場合にも、作業が容易である。
【００６２】
＜第３実施形態＞
＜構成＞
以下では、上記実施形態で説明した構成と同様の構成については同じ符号を付して図示し、その詳細な説明については適宜省略する。
【００６３】
図５は、本実施形態に関する、光ディスク装置を備えていない、映像表示装置としてのテレビジョン受像機を示した概観図である。
【００６４】
図５に示されるように、テレビジョン受像機は、ディスプレイを含むテレビジョン受像機本体１と、スタンド２ａと、背面カバー３ｂと、外付けハードディスク５設置用の箱体９とを備える。箱体９は、上方に開口部を有する。また、箱体９は、背面カバー３ｂと一体として形成される。
【００６５】
図６は、図５に示されたテレビジョン受像機の上面図である。図６に示されるように、箱体９内の底面において、外付けハードディスク５を摩擦によって固定するためのゴムパッド７が貼り付けられていてもよい。また、箱体９内の側面において、設置された外付けハードディスク５の側面との間に、外付けハードディスク５を箱体９内で固定するためのスポンジ１１が配置されていてもよい。スポンジ１１は、箱体９内における外付けハードディスク５の転倒および傾きを防止することができる。
【００６６】
テレビジョン受像機本体１は、スタンド２ａにネジ等を用いて固定されることにより、起立状態で支持されている。背面カバー３ｂが、テレビジョン受像機本体１の背面側からネジ等を用いて固定されており、テレビジョン受像機本体１の背面全体を覆っている。
【００６７】
背面カバー３ｂにおいて、背面方向に飛び出る向きに、外付けハードディスク５の外形より大きく、鉛直上向きに開口を有する箱体９を設ける。箱体９の底面には、外付けハードディスク５を摩擦によって固定するためのゴムパッド７が貼り付けられている。
【００６８】
箱体９内においては、設置された外付けハードディスク５を箱体９内で固定するために、箱体９の側壁と外付けハードディスク５との隙間にスポンジ１１が配置される。
【００６９】
箱体９内のスポンジ１１との接触、または、ゴムパッド７と外付けハードディスク５の底面との摩擦により、外付けハードディスク５は、テレビジョン受像機の視聴時およびスイーベル時、さらには設置台上でテレビジョン受像機の移動を行った際でも、箱体９内における定位置で固定される。よって、このような場面での、外付けハードディスク５に伝わる振動は抑制される。
【００７０】
＜効果＞
以下に、本実施形態による効果を例示する。
【００７１】
本実施形態によれば、映像表示装置が、映像を表示するディスプレイを含むテレビジョン受像機本体１と、テレビジョン受像機本体１の背面側に取り付けられる、外付けハードディスク５を設置するための上方に開口部を有する箱体９とを備える。
【００７２】
このような構成によれば、外付けハードディスク５がテレビジョン受像機本体１と衝突することを防ぐことができ、テレビジョン受像機の移動時およびスイーベル時にも、外付けハードディスク５へ伝わる振動が緩和される。また、設置された外付けハードディスク５が、視聴者の視界に入らない。さらに、ユーザが、外付けハードディスク５を設置する場合にも、設置された外付けハードディスク５を取り外す場合にも、作業が容易である。
【００７３】
また、外付けハードディスク５設置用の箱体９があらかじめ背面カバー３ｂと一体として形成されるため、外付けハードディスク５の形状、または、背面カバー３ｂにおける取り付け構造を考慮せずに、外付けハードディスク５を設置することができる。また、比較的安価な外付けハードディスク５を容易に設置することができるため、比較的高価なｉＶＤＲを設置する必要がない。
【００７４】
上記実施形態では、各構成要素の材質、材料、寸法、形状、相対的配置関係または実施の条件等についても記載している場合があるが、これらはすべての局面において例示であって、本発明が記載したものに限られるものではない。よって、例示されていない無数の変形例（任意の構成要素の変形または省略、さらには、異なる実施形態間の自由な組み合わせを含む）が、本発明の範囲内において想定され得る。
【符号の説明】
【００７５】
１  テレビジョン受像機本体、２ａ，２ｂ  スタンド、３ａ，３ｂ  背面カバー、４  光ディスク装置カバー、５  ハードディスク、６，８  窪み形状、７  ゴムパッド、９  箱体、１０  ブラケット、１１  スポンジ、１２  弾性クッション、１００  光ディスク装置。
【図１】
2015198323.tif 000003
【図２】
2015198323.tif 000004
【図３】
2015198323.tif 000005
【図４】
2015198323.tif 000006
【図５】
2015198323.tif 000007
【図６】
2015198323.tif 000008
【図７】
2015198323.tif 000009
【図８】
2015198323.tif 000010